(57)【要約】【課題】モーター保持部材を用いても小型化を図ることができるレンズ駆動装置及びこれを備えた撮像装置を提供する。【解決手段】レンズ駆動装置１のモーター保持部材５は、モーター取付部５１と、モーターベース取付部５２とを備えている。このモーター保持部材５を用いて、駆動モーターをモーターベースに取り付けるには、まず駆動モーターにモーター保持部材５を取り付ける。次に、駆動モーターの軸受け部をモーターベース２の軸受け保持部２１４に嵌め込んだ後に、モーター取付部５１を駆動モーターの軸を中心にして左側へ回転させてモーターベース２の左側の隙間２６に左側角部５１２ｂを挟入する。そして、ビスを、モーターベース取付部５２の開口部５２１ａを介してモーターベース２の固定用部材挿入部２１２ａに螺合して、モーターベース取付部５２をモーターベース２に固定する。【選択図】図４
2008225097.tif 000002
【特許請求の範囲】
【請求項１】
レンズを移動させるための駆動モーターと、モーター保持部材と、モーターベースとを備えるレンズ駆動装置であって、
前記モーター保持部材は、平板状で且つその平面内に前記駆動モーターの軸受け部を嵌通するためのモーター取付用開口部を有するモータ取付部と、該モータ取付部の周縁部の一部から延出して前記モーターベースに少なくとも一本の固定用部材で固定するための開口部を有するモーターベース取付部とを備え、
前記モーターベースは、前記モーター取付用開口部を嵌通した状態の前記駆動モーターの軸受け部に回転可能に嵌合するための軸受け保持部と、該軸受け保持部に前記駆動モーターの軸受け部が嵌合した状態で前記モーター取付部を前記駆動モーターの軸を中心にして回転させて位置決めしたときに当該モーター取付部の周縁部の他の一部を挟持するための挟持部と、該挟持部が前記モーター取付部の周縁部の他の一部を挟持した状態で前記モーターベース取付部の開口部を挿通する前記少なくとも一本の固定用部材を固定するための固定用部材挿入部とを備えたことを特徴とするレンズ駆動装置。
【請求項２】
前記モーターベース取付部は、前記駆動モータの軸方向と平行に延出したことを特徴とする請求項１に記載のレンズ駆動装置。
【請求項３】
前記モーターベース取付部は平板状であって、その一端部が前記モーター取付部に結合したことを特徴とする請求項１または請求項２に記載のレンズ駆動装置。
【請求項４】
請求項１〜請求項３のいずれか１項に記載のレンズ駆動装置を備えたことを特徴とする撮像装置。
【発明の詳細な説明】
【技術分野】
【０００１】
本件発明は、レンズ鏡筒に設けられるモーターベースに、レンズを移動させるための駆動モーターを取り付ける際に用いられるモーター保持部材を備えたレンズ駆動装置及び撮像装置に関する。
【背景技術】
【０００２】
従来、デジタルカメラや携帯端末に使用されるレンズ駆動装置には、レンズを移動させるための駆動モーターと、モーターベースとを備えたものが知られている。このモーターベースは、レンズ鏡筒に設けられる部材である。このようなレンズ駆動装置は、駆動モーターをモーターベースに直接ビス止めしている。そのため、駆動モーターが小型化すると、駆動モーターの軸側端面にビス止め用の穴を設けることが困難になる。そこで、これを解決するために、モーター保持部材が用いられている。このモーター保持部材は、駆動モーターをモーターベースに取り付けるために用いられる部材である。
【０００３】
そして、このモーター保持部材を備えたレンズ駆動としては、特許文献１に記載されたようなレンズ駆動装置が提案されている。このレンズ駆動装置においては、駆動モーターが取り付けられたモーター保持部材を、モーターベースに嵌合させた後に一本のビスで固定している。
【０００４】
【特許文献１】特開２００６−２０８４２３号公報
【発明の開示】
【発明が解決しようとする課題】
【０００５】
しかしながら、特許文献１に記載されたレンズ駆動装置では、モーター保持部材を駆動モーターの軸方向にスライドさせることにより、モーター保持部材の取付位置を決めている。そのため、モーターベースは、モーター保持部材の位置決め時にモーター保持部材が動くスペースを駆動モーターの軸方向に長く設定する必要がある。したがって、このレンズ駆動装置は、駆動モーターの軸方向に長くなるので大型化してしまう問題があった。
【０００６】
本件発明は、かかる従来の課題に鑑みてなされたものであり、モーター保持部材を用いても小型化を図ることができるレンズ駆動装置及び撮像装置を提供することを目的とする。
【課題を解決するための手段】
【０００７】
そこで、本件発明者等は、鋭意研究の結果、前記課題を解決するために以下のレンズ駆動装置及び撮像装置を採用した。
【０００８】
本件発明のレンズ駆動装置では、レンズを移動させるための駆動モーターと、モーター保持部材と、モーターベースとを備えるレンズ駆動装置であって、前記モーター保持部材は、平板状で且つその平面内に前記駆動モーターの軸受け部を嵌通するためのモーター取付用開口部を有するモータ取付部と、該モータ取付部の周縁部の一部から延出して前記モーターベースに少なくとも一本の固定用部材で固定するための開口部を有するモーターベース取付部とを備え、前記モーターベースは、前記モーター取付用開口部を嵌通した状態の前記駆動モーターの軸受け部に回転可能に嵌合するための軸受け保持部と、該軸受け保持部に前記駆動モーターの軸受け部が嵌合した状態で前記モーター取付部を前記駆動モーターの軸を中心にして回転させて位置決めしたときに当該モーター取付部の周縁部の他の一部を挟持するための挟持部と、該挟持部が前記モーター取付部の周縁部の他の一部を挟持した状態で前記モーターベース取付部の開口部を挿通する前記少なくとも一本の固定用部材を固定するための固定用部材挿入部とを備えたことを特徴としている。
【０００９】
かかる構成において、本件発明のレンズ駆動装置では、モーター保持部材を駆動モーターの軸を中心にして回転させることによりモーター保持部材の取付位置を決めている。したがって、モータベースは、モーター保持部材の位置決め時にモーター保持部材が動くスペースを、駆動モーターの軸方向に長く設定しなくても良い。
【００１０】
また、本件発明のレンズ駆動装置は、前記モーターベース取付部は、前記駆動モータの軸方向と平行に延出したことを特徴としている。
【００１１】
かかる構成において、本件発明のレンズ駆動装置は、モーターベース取付部が駆動モーターの軸方向と平行に延出していないレンズ駆動装置に比べて、駆動モーターの軸方向と直交する方向の幅が小さくなる。したがって、モーターベースは、モーター保持部材の設置スペースを抑えることができる。
【００１２】
また、本件発明のレンズ駆動装置では、前記モーターベース取付部は平板状であって、その一端部が前記モーター取付部に結合したことを特徴としている。
【００１３】
かかる構成において、本件発明のレンズ駆動装置は、モーターベース取付部が棒状であるレンズ駆動装置に比べて、モーターの軸方向と直交する方向の幅が小さくなる。したがって、モーターベースは、モーター保持部材の設置スペースをさらに抑えることができる。
【００１４】
また、本件発明の撮像装置においては、本件発明のレンズ駆動装置を備えたことを特徴としている。
【００１５】
かかる構成において、本件発明の撮像装置は、従来のレンズ駆動装置を備えた撮像装置に比べて、駆動モーターの軸方向の長さを抑えることができる。
【発明の効果】
【００１６】
本件発明のレンズ駆動装置では、モーター保持部材を回転させてモーター保持部材の取付位置を決めるようにした。したがって、モータベースは、モーター保持部材の位置決め時にモーター保持部材が動くスペースを、駆動モーターの軸方向に長く設定しなくても良い。よって、本件発明のレンズ駆動装置は、モーター保持部材を用いても小型化を図ることができる。
【００１７】
また、本件発明のレンズ駆動装置では、モーターベース取付部を駆動モータの軸方向と平行に延出するようにした。これにより、本件発明のレンズ駆動装置は、モーターベース取付部が駆動モーターの軸方向と平行に延出していないレンズ駆動装置に比べて、駆動モーターの軸方向と直交する方向の幅が小さくなる。したがって、モーターベースは、モーター保持部材の設置スペースを抑えることができる。よって、本件発明のレンズ駆動装置は、さらに小型化することができる。
【００１８】
また、本件発明のレンズ駆動装置では、モーターベース取付部を平板状にして、その一端部をモーター取付部に結合した。これにより、本件発明のレンズ駆動装置は、モーターベース取付部が棒状であるレンズ駆動装置に比べて、駆動モーターの軸方向と直交する方向の幅が小さくなる。したがって、モーターベースは、モーター保持部材の設置スペースを抑えることができる。よって、本件発明のレンズ駆動装置は、さらに小型化することができる。
【００１９】
また、本件発明の撮像装置は、本件発明のレンズ駆動装置を備えたものとした。したがって、本件発明の撮像装置では、従来のレンズ駆動装置を備えた撮像装置のように駆動モーターの軸方向に長く設定しなくても良い。よって、本件発明の撮像装置は、モーター保持部材を用いても小型化を図ることができる。
【発明を実施するための最良の形態】
【００２０】
以下、本発明の実施の形態を図にしたがって説明する。図１は、本件発明の一実施の形態を示す携帯電話１０１の外観図である。この携帯電話１０１は、カメラ機能を備えた携帯電話であり、カメラモジュール１０２を備えている。このカメラモジュール１０２は、箱形に形成されたケース１１０と、このケース１１０内に配設されたレンズユニットと、撮像素子（ＣＣＤ）とを備えている。そして、このカメラモジュール１０２は、ユーザーの操作に応じて、被写体の反射光を撮像素子により結像させて電気信号に変換し、この電気信号をＡ／Ｄコンバーターなどに出力するように構成されている。
【００２１】
また、レンズユニットは、図示しないが、二本のガイドポールと、二つのレンズ群保持枠と、レンズ駆動装置とを備えている。図２は、レンズ駆動装置１を後方から視た斜視図である。このレンズ駆動装置１は、二つのレンズ群保持枠をそれぞれ独立的に駆動するものである。そして、このレンズ駆動装置１は、二つの駆動手段と、モーターベース２とを備えている。
【００２２】
駆動手段は、駆動機構３と、駆動モーター４と、モーター保持部材５とを備えている。そして、駆動機構３は、リードスクリュー３１と伝達ギア３２とを備えている。また、駆動モーター４は、図３に示すように、駆動モーター本体４１と、軸４２と、軸受け部４３と、出力ギア４４と、入力端子４５とを備えている。
【００２３】
軸受け部４３は、軸４２の基端側に取り付けられている。また、出力ギア４４は、軸４２の先端側に取り付けられている。また、入力端子４５は、駆動モーター本体４１の左側面４１１に設けられている。
【００２４】
一方、図２に示すように、モーター保持部材５は、駆動モーター４をモーターベース２に取り付けるための部材である。そして、図３に示すように、このモーター保持部材５は、モーター取付部５１と、モーターベース取付部５２とを備えている。そして、モーター保持部材５は、この二つの部材５１、５２によって略Ｌ字状に形成されている。
【００２５】
モーター取付部５１は、駆動モーター４に取り付けるための部材である。このモーター取付部５１は、略角形の平板状に形成されている。そして、このモーター取付部５１の中央部分には、モーター取付用開口部５１１が設けられている。このモーター取付用開口部５１１は、駆動モーター４の軸受け部４３が嵌通するように構成されている。
【００２６】
また、モーター取付部５１の下端部５１２は、駆動モーター４よりも下側に延出している。そして、この下端部５１２の右側角部５１２ａ及び左側角部５１２ｂは、モーターベース２に固定する部分である。
【００２７】
一方、図２に示すように、モーターベース取付部５２は、一本のビス６を用いてモーターベース２に取り付けるための部材である。このモーターベース取付部５２は、図３に示すように、モーター取付部５１から前方へ向けて駆動モーター４の軸方向Ａと平行に延出している。そして、このモーターベース取付部５２は、略角形の平板状に形成されており、基部５２１と、結合部５２２とから構成されている。
【００２８】
基部５２１は、駆動モーター本体４１の左側面４１１と平行に配置されている。この基部５２１には、開口部５２１ａが設けられている。この開口部５２１ａは、ビス６（図２参照）が通るように構成されている。
【００２９】
また、結合部５２２は、基部５２１の後端から右側へ屈曲されている。そして、結合部５２２の端面５２２ａが、モーター取付部５１の左端部５１３の端面５１３ａに結合されている。
【００３０】
一方、図２に示すように、モーターベース２は、駆動機構３、駆動モーター４及びモーター保持部材５が取り付けられる部材である。また、このモーターベース２は、レンズ鏡筒に設けられる部材である。そして、このモーターベース２は、図４に示すように、リードスクリュー取付部２ａと、モーター収容部２ｂとを備えている。
【００３１】
リードスクリュー取付部２ａは、モーターベース２の右側部分を構成している。このリードスクリュー取付部２ａは、図２に示すように、各駆動手段のリードスクリュー３１が取り付けられるように構成されている。
【００３２】
一方、モーター収容部２ｂは、モーターベース２の左側部分を構成している。そして、このモーター収容部２ｂは、二つの駆動モーター４、４を収容する部分である。以下、モーター収容部２ｂの構成を具体的に説明する。図４に示すように、モーター収容部２ｂは、前壁２１と、後壁２２と、右壁２３と、左側結合部２４と、上側モーター保護部材２５と、下側モーター保護部材（図示せず）とを備えている。
【００３３】
前壁２１は、基部２１１と、ビス止め部２１２と、係止部２１３とを備えている。基部２１１は、左右に延在している。基部２１１の中間部分の前面側には伝達ギアの取付部（図示せず）が設けられている。そして、基部２１１の上部には、軸受け保持部２１４が設けられている。
【００３４】
この軸受け保持部２１４は、上方が開口した鍵穴状に形成されている。具体的に説明すると、この軸受け保持部２１４は、切り欠き部２１４ａと、軸受け部取付用開口部２１４ｂとから構成されている。切り欠き部２１４ａは、基部２１１の上端部の一部が切り欠かれて形成されている。そして、この切り欠き部２１４ａは、駆動モーター４（図３参照）の軸４２の一部が通るように構成されている。また、軸受け部取付用開口部２１４ｂは、切り欠き部２１４ａの下側に連続して設けられている。この軸受け部取付用開口部２１４ｂは、駆動モーター４の軸受け部４３に回転可能に嵌合するように構成されている。
【００３５】
また、ビス止め部２１２は、基部２１１の上部左端から前方へ延出されている。このビス止め部２１２には、固定用部材挿入部２１２ａが設けられている。この固定用部材挿入部２１２ａは、ビス６（図２参照）が螺合するように構成されている。
【００３６】
また、係止部２１３は、基部２１１の上部左端から後方へ延出している。この係止部２１３の上部には係止爪２１３ａが設けられている。この係止爪２１３ａは、基部２１１とで本件発明の挟持部を構成している。具体的に説明すると、係止爪２１３ａは、基部２１１との間に隙間２６が形成されるように構成されている。そして、この隙間２６は、モーター保持部材５の下端部５１２の左側角部５１２ｂが挟入されるように構成されている。したがって、係止爪２１３ａ及び基部２１１は、モーター保持部材５の下端部５１２の左側角部５１２ｂを挟持するように構成されている。
【００３７】
一方、後壁２２は、基部２２１と、ビス止め部２２２と、係止部２２３とを備えている。基部２２１は、左右に延在している。この基部２２１の中間部分には、伝達ギア取付部２２０が設けられている。この伝達ギア取付部２２０は、前記伝達ギア３２（図２参照）が取り付けられるように構成されている。
【００３８】
また、この基部２２１の下部には、軸受け保持部２２４が設けられている。この軸受け保持部２２４は、下方が開口された鍵穴状に形成されている。なお、軸受け保持部２２４の構成は、前壁２１側の軸受け保持部２１４の構成と同じである。
【００３９】
また、ビス止め部２２２は、基部２２１の下部左端から後方へ延出している。このビス止め部２２２には、固定用部材挿入部２２２ａが設けられている。この固定用部材挿入部２２２ａの構成は、前壁２１側の固定用部材挿入部２１２ａの構成と同じである。
【００４０】
また、係止部２２３は、基部２２１の上部左端から前方へ延出している。この係止部２２３の下部には、係止爪２２３ａが設けられている。この係止爪２２３ａは、基部２２１とで本件発明の挟持部を構成している。具体的に説明すると、係止爪２２３ａは、基部２２１との間に隙間２６が形成されるように構成されている。
【００４１】
一方、右壁２３は、前壁２１の右側と後壁２２の右側とを結合している。また、左側結合部２４は、前壁２１の係止部２１３と後壁２２の係止部２２３とを結合している。
【００４２】
また、上側モーター保護部材２５は、一方の駆動モーター４を保護する部材である。この上側モーター保護部材２５は、前壁２１の基部２１１との間に隙間２７が形成されるように、右壁２３の左側面２３ａに結合している。この隙間２７は、モーター保持部材５の下端部５１２の右側角部５１２ａが挟入されるように構成されている。そして、モーター収容部２ｂの上部には、この上側モーター保護部材２５と、前壁２１と、後壁２２と、左側結合部２４とにより、一方の駆動モーター４の収容空間２ｃが形成されている。
【００４３】
また、図示しないが、下側モーター保護部材は、もう一方の駆動モーター４を保護する部材である。この下側モーター保護部材は、後壁２２の基部２２１との間に隙間が形成されるように、右壁２３の左側面２３ａに結合している。この隙間は、前述した隙間２７と同じものである。そして、モーター収容部２ｂの下部には、この下側モーター保護部材と、前壁２１と、後壁２２と、左側結合部２４とによって、もう一方の駆動モーター４の収容空間２ｄが形成されている。
【００４４】
かかる構成において、レンズ駆動装置１の組立方法について説明する。まず、駆動モーター４にモーター保持部材５を取り付ける。具体的には、図３に示すように、モーター保持部材５のモーター取付用開口部５１１に駆動モーター４の軸４２を通して、モーター取付用開口部５１１に軸受け部４３を嵌め込む。
【００４５】
次に、駆動モーター４が取り付けられたモーター保持部材５をモーターベースに２に取り付ける。具体的には、図４に示すように、まず、駆動モーター４が取り付けられたモーター保持部材５を、モーター取付部５１の右側を下に向けて斜めにする。次に、モーターベース２の前壁２１の軸受け保持部２１４の切り欠き部２１４ａに上方から駆動モーター４の軸４２を入れ、軸受け部取付用開口部２１４ｂに軸受け部４３を嵌め込む。なお、図４では、駆動モーター４を省略している。
【００４６】
次に、駆動モーター４の軸受け部４３を軸受け部取付用開口部２１４ｂに摺動させることにより、モーター取付部５１を駆動モーター４の軸４２を中心にして左側へ回転させて、下端部５１２の両角部５１２ａ、５１２ｂをモーターベース２の両隙間２６、２７に挟入し、左側角部５１２ｂを左側の隙間２６の底面２６ａに当接させる。これにより、モーター取付部５１は、下端部５１２の両角部５１２ａ、５１２ｂがモーターベース２に挟持されて、駆動モーター４が上側の収容空間２ｃに収容される。
【００４７】
また、モーター取付部５１の下端部５１２の左側角部５１２ｂを左側の隙間２６の底面２６ａに当接させることにより、モーター取付部５１の回転が規制される。そして、モーター取付部５１の回転が規制されたこの位置にてモーター取付部５１（駆動モーター４）の取付位置が決められる。このときに、モーターベース取付部５２の開口部５２１ａ及びモーターベース２の固定用部材挿入部２１２ａは、ビス６が取付け可能に重なった状態になる。
【００４８】
次に、ビス６を、モーターベース取付部５２の開口部５２１ａを介してモーターベース２の固定用部材挿入部２１２ａに螺合する。これにより、図５に示すように、モーター保持部材５はモーターベース２に固定される。そして、駆動モーター４は、図２に示すように、上側の収容空間２ｃに収容された状態でモーターベース２に固定される。なお、図５では、この駆動モーター４を省略している。
【００４９】
また、もう一方の駆動モーター４の取り付け作業も、前述した方法と同様な方法で行う。これにより、もう一方の駆動モーター４は、図２や図５に示すように、下側の収容空間２ｄに収容された状態でモーターベース２に固定される。そして、モーターベース２の二つの伝達ギヤ取付部２２０にそれぞれ伝達ギヤ３２を取り付ける。最後に、リードスクリュー収容部２ａに、二本のリードスクリュー３１を取り付ける。
【００５０】
以上説明したように、本実施の形態のレンズ駆動装置１では、モーター取付部５１を駆動モーター４の軸４２を中心にして回転させることによりモーター保持部材５の取付位置を決めている。したがって、モーターベース２は、モーター保持部材５の位置決め時にモーター保持部材５が動くスペースを、従来のように駆動モーター４の軸方向Ａに長く設定しなくても良い。よって、本実施の形態のレンズ駆動装置１は、モーター保持部材５を用いても小型化を図ることができる。
【００５１】
また、本実施の形態のレンズ駆動装置１では、モーター取付部５１を回転させて、下端部５１２の両角部５１２ａ、５１２ｂをモーターベース２の両隙間２６、２７に挟入している。このことから、両角部５２１ａ、５２１ｂを駆動モーター４の軸方向Ａに移動させなくても良いので、両隙間２６、２７の挟入幅を限界まで狭めることが可能になる。したがって、モーターベース２は、駆動モーター４の軸方向Ａの長さをより短くすることが可能になる。よって、本実施の形態のレンズ駆動装置１は、さらに小型化することができる。
【００５２】
なお、本実施の形態のレンズ駆動装置１では、本件発明の挟持部を基部２１１、２２１と係止爪２１３ａ、２２３ａとから構成した。しかし、挟持部は、本実施の形態のような挟持部に必ずしも限定される必要はなく、モーター取付部５１を回転させて取付位置を決めるような位置でモーター取付部５１の周縁部を挟持するように構成すれば良い。また挟持部の数は特に限定しなくても良い。
【００５３】
また、本実施の形態のレンズ駆動装置１では、図３に示すようにモーターベース取付部５２を、駆動モーター４の軸方向Ａと平行に延出するようにした。これにより、モーター保持部材５は、モーターベース取付部が駆動モーター４の軸方向Ａと平行に延出していない保持部材に比べて、駆動モーター４の軸方向Ａと直交する方向Ｂの幅が小さくなる。したがって、モーターベース２は、モーター保持部材５の設置スペースを抑えることができる。よって、本実施の形態のレンズ駆動装置１は、さらに小型化することができる。
【００５４】
また、本実施の形態のレンズ駆動装置１では、モーターベース取付部５２を平板状にして、一端部５２２をモーター取付部５１に結合した。これにより、モーター保持部材５は、モーターベース取付部が棒状のモーター保持部材に比べて、駆動モーター４の軸方向Ａと直交する方向Ｂの幅が小さくなる。したがって、モーターベースは、モーター保持部材５の設置スペースを抑えることができる。よって、本実施の形態のレンズ駆動装置１は、さらに小型化することができる。
【００５５】
なお、本実施の形態のレンズ駆動装置１では、モーター取付部５１の形状を角形にしたが、モーター取付部の形状は、モーター取付部が平板状であれば特に限定されない。また、モーター取付用開口部５１１は、モーター取付部５１の中央部分に設けたが、モーター取付部５１の平面内であれば良い。また、モーターベース取付部は、モーター取付部５１の左端部５１３に結合する他に、右端部や上端部に結合しても良い。また、モーター取付部が角形でない場合には、モーターベース取付部５２を、モーター取付部の周縁部において挟持部が挟持する部分を除く部分に結合すれば良い。
【００５６】
また、本実施の形態のレンズ駆動装置１では、モーターベース取付部５２をモーターベース２に固定するためにビス６を使用したが、ビス６以外の固定用部材を使用しても良い。この固定用部材としては、例えばピンが挙げられる。この場合には、モーターベース２に設ける固定用部材挿入部を、ピンが圧入されるように構成すれば良い。また、固定用部材（ビス６）の使用本数は本実施の形態のように１本が好ましいが、２本以上でも良い。
【００５７】
また、本実施の形態のレンズ駆動装置１では、軸受け保持部２１４、２２４により駆動モーター４の軸受け部４３の設置位置が決まる。このため、駆動モーター４の軸４２が正確に位置出しされる。これより、駆動モーター４の軸４２に出力ギア４４等の伝達部材を固定させると、この伝達部材も正確に位置出しされる。したがって、駆動モーター４からリードスクリュー３１への動力の伝達がスムーズに行われる。よって、本実施の形態のレンズ駆動装置１は、駆動に伴う騒音の低減化も図ることができる。
【００５８】
また、本実施の形態のレンズ駆動装置１によって、カメラモジュール１０２（図１参照）は、駆動モーター４の軸方向Ａの長さを短くすることが可能になる。よって、カメラモジュール１０２は、小型化を図ることができる。さらに、本実施の形態の携帯電話１０１では、このカメラモジュール１０２を備えたことにより、従来のカメラモジュール（レンズ駆動装置）を備えた携帯電話に比べて、駆動モーター４の軸方向Ａの長さを短くすることが可能になる。よって、本実施の形態の携帯電話１０１は、小型化を図ることができる。また、本実施の形態の携帯電話１０１およびカメラモジュール１０２は、本実施の形態のレンズ駆動装置１が有しているその他の効果も併せて得ることができる。なお、本実施の形態のレンズ駆動装置１を、駆動モーター４の軸方向Ａを光軸方向と同じにして携帯電話に設けた場合には、携帯電話の薄型化を図ることができる。
【００５９】
なお、本実施の形態では、携帯電話に本件発明のレンズ駆動装置を使用した場合について説明したが、デジタルカメラ等の他の撮像装置にもこれを使用しても良い。特に、本件発明のレンズ駆動装置は、設置スペースが制限されるような撮像装置に対する使用に適している。
【産業上の利用可能性】
【００６０】
以上説明したように、本件発明のレンズ駆動装置及び撮像装置は、モーター保持部材を用いても小型化を図ることができる。したがって、本件発明のレンズ駆動装置及び撮像装置は、レンズ駆動装置や撮像装置の技術分野において十分に利用することができる。
【図面の簡単な説明】
【００６１】
【図１】本件発明の一実施の形態を示す携帯電話の外観図である。
【図２】同実施の形態を示すレンズ駆動装置を後方から視た斜視図である。
【図３】同実施の形態において、駆動モーターにモーター保持部材を取り付けた状態を示す斜視図である。
【図４】同実施の形態を示すモーターベースを後方から視た斜視図である。
【図５】同実施の形態において、モーターベースにモーター保持部材を取り付けた状態を後方から視た斜視図である。
【符号の説明】
【００６２】
１    レンズ駆動装置
２    モーターベース
４    駆動モーター
５    モーター保持部材
６    ビス
４２    駆動モーターの軸
４３    軸受け部
５１    モーター取付部
５２    モーターベース取付部
１０１    携帯電話
２１４    軸受け保持部
２１１    基部
２１２ａ    固定用部材挿入部
２１３ａ    係止爪
２２１    基部
２２２ａ    固定用部材挿入部
２２３ａ    係止爪
２２４    軸受け保持部
５１１    モーター取付用開口部
５１２    下端部
５１２ａ    右側角部
５１２ｂ    左側角部
５１３    左端部
５２１ａ    開口部
Ａ        駆動モーターの軸方向
【図１】
2008225097.tif 000003
【図２】
2008225097.tif 000004
【図３】
2008225097.tif 000005
【図４】
2008225097.tif 000006
【図５】
2008225097.tif 000007